(57)【特許請求の範囲】
【請求項１】
左右の親骨（１），（１）基端間で扇骨を挟持し取付ける要（２）の突出端（３），（３）部に、平面視コ字状で要（２）の突出端（３）廻りに開口（４）を設けた基部枠（５）を左右配置するもので、この基部枠（５）には親骨（１）の前後を覆う前後壁（６），（６）と、開口（４）の廻りに略等配状に刻む係止溝（７）を有するボス座（８）を設け、さらに、左右のボス座（８），（８）外方に、両端部が係止溝（７），（７）に噛み合う状態で中間部がボス座（８），（８）から親骨（１），（１）の下端を下方迂回状で両端の爪座（１６），（１６）で挟み保持する正面視が略コ字・Ｕ字形等の左右連結枠（９）を配設したことを特徴とする扇子の扇骨開閉規制具。
【請求項２】
扇子を閉じた状態での親骨（１），（１）の下端に、下方迂回状に略コ字・Ｕ字形等の左右連結枠（９）の下方迂回部（１０）が設けられており、この下方迂回部（１０）、または上方の左右基部枠（５），（５）までを移動して覆う筒状のスライド握り（１１）一端部を下方迂回部（１０）に取付けていることを特徴とする請求項１記載の扇子の扇骨開閉規制具。
【発明の詳細な説明】
【技術分野】
【０００１】
本発明は、扇子を使うに際し、開いた扇子を軽い力で起風操作して、凉しい風を発生することが可能となる扇骨開閉規制具に関する。
つまり、市販の扇子の要の部分外方に、本発明の扇骨開閉規制具を取付けることにより、扇子の開閉操作時に更なる節度のあるクリック感を付加しようとするものである。

【背景技術】
【０００２】
従来の扇子は、左右外側に太い親骨を配し、親骨間に通常の物で３５本、高級な物で４５本程度の中骨から成る扇骨を有し、各扇骨間に亘って両面から紙を貼り付けて開いた紙扇子とし、非使用時には折りに沿って要部を中心に閉じることで、１本の棒状の扇子として収納容易としている。
この扇骨は、竹を加工して作り、皮に近い少量しか無い外側部分が、密度高く強度的に優れている。しかし、低コストを考慮して製造する構成物は、多量に有る竹の内側部分や、容易に手に入る、合成樹脂等の軟質材であるプラスチック系素材を射出成型して作り、これ等を、軽量で送風性能は落ちるが、安価な扇骨として使用している。
【０００３】
良い扇子の扇骨は、密度高く強度的に優れた竹材を使用しており、重量感、挟持方向の曲がりである「ため」、送風持の「しなり」等満足できるが、使用頻度が多くなるにつれて、親骨の「ため」が減じて開閉に節度が少なくなったり、扇骨と紙の接着部が緩みだして「しなり」を保ちにくく、軽い力で涼しい風を送るのが難しく成る。
安価な扇子では、最初から使用時中の扇骨の踏ん張りが弱く風量が上がらなかったり、要が緩くて扇子の開閉角度が自動変化し風量が安定せず、これを防ぐため「要」部分の扇子開保持状態に力を入れると、手指が早く疲れる等の不具合が有った。
【発明の概要】
【発明が解決しようとする課題】
【０００４】
本発明で解決しようとする課題は、従来扇子の上記のような、良い扇子に於いては使い過ぎることで生じる性能劣化を、簡単に元の状態に復元し、安価な扇子では始めから生じている不具合を押さえて少なくし、使い易く、涼しい風を、気持ち良く送風操作する、扇子を簡単に手に入れようとするものである。
【課題を解決するための手段】
【０００５】
この発明は、前記課題を解決するために、次のような技術的手段を講じている。
まず、請求項１に記載の発明は、左右の親骨（１），（１）基端間で扇骨を挟持し取り付ける要（２）の突出端（３），（３）部に、平面視コ字状で要（２）の突出端（３）廻りに開口（４）を設けた基部枠（５）を左右配置するもので、この基部枠（５）には親骨（１）の前後を覆う前後壁（６），（６）と、開口（４）の廻りに略等配状に刻む係止溝（７）を有するボス座（８）を設け、さらに、左右のボス座（８），（８）外方に、両端部が係止溝（７），（７）に噛み合う状態で中間部がボス座（８），（８）から親骨（１），（１）の下端を下方迂回状で両端の爪座（１６），（１６）で挟み保持する正面視が略コ字・Ｕ字形等の左右連結枠（９）を配設したことを特徴とする扇子の扇骨開閉規制具である。
【０００６】
この構成としたことにより、平面視コ字状の基部枠（５）を、扇子左右の親骨（１），（１）基端間に設けた要（２）部に下方から押し込むことができ、要（２）の突出端（３），（３）部に基部枠（５）の開口（４）を乗り越え位置させるだけで、基部枠（５），（５）の取付け位置が決まり、初心者でも簡単容易に取り付けることが可能となる。
また、開口（４）の廻りに係止溝（７）を有するボス座（８）を設け、その外側にボス座（８），（８）から親骨（１），（１）の下端を下方迂回状で両端の爪座（１６），（１６）で挟み保持する正面視が略コ字・Ｕ字形等の左右連結枠（９）を配設しているので、左右連結枠（９）の挟み力で要（２）の部分の親骨（１），（１）を挟持できるから、扇子の「ため」の強調ができ、開閉に節度のあるクリック感をだせると共に、要（２）部を強く握って送風する必要も無く、手指が疲れない。
【０００７】
つぎに、請求項２に記載の発明は、扇子を閉じた状態での親骨（１），（１）の下端に、下方迂回状に略コ字・Ｕ字形等の左右連結枠（９）の下方迂回部（１０）が設けられており、この下方迂回部（１０）、または上方の左右基部枠（５），（５）までを移動して覆う筒状のスライド握り（１１）一端部を下方迂回部（１０）に取付けていることを特徴とする請求項１記載の扇子の扇骨開閉規制具である。
【０００８】
この構成としたことにより、棒状に閉じた状態の扇子の左右連結枠（９）廻り
から上方の左右基部枠（５），（５）までを、スライド握り（１１）で覆うことができ扇子の閉状態を保持できる。
また、スライド握り（１１）を下方に移動し下方迂回部（１０）のみを覆う時は、このスライド握り（１１）が扇子を開いて風送り操作をする際の握りとなり、更に軽く操作して風を生じさせることができる。
【発明の効果】
【０００９】
まず、請求項１の発明は、左右の親骨（１），（１）と、その間に挟んだ複数本の中骨から成る扇骨基端間を、要（２）で止めて一体化している扇子に於いて、要（２）の突出端（３），（３）部に、親骨（１）の前後を覆う前後壁（６），（６）
を有す平面視コ字状の基部枠（５）を扇子の下方部から押し込み、基部枠（５）に設けた開口（４）を要（２）の突出端（３），（３）部まで移動し噛み合わせることで、基部枠（５）の取付け位置が決まる。
【００１０】
また、基部枠（５）の開口（４）の廻りに、略等配状に刻む係止溝（７）を有するボス座（８）を設け、この、左右のボス座（８），（８）外方に、両端部が係止溝（７），（７）に噛み合う状態で中間部がボス座（８），（８）から親骨（１），（１）の下端を下方迂回状で両端の爪座（１６），（１６）で挟み保持する正面視が略コ字・Ｕ字形等の左右連結枠（９）を配設しているので、扇子の要（２）部の親骨（１），（１）が、左右連結枠（９）の撓み力で挟み保持され、このことは親骨（１），（１）の「天」部も内側に押圧され「ため」が強くなり、扇子開閉にクリック感を増し、操作感を向上することになる。
【００１１】
さらに、基部枠（５）のボス座（８）外方の係止溝（７）に、左右連結枠（９）の撓み力で基部が挟み保持状に取り付いているので、基部枠（５）の姿勢変更時に係止溝（７）部分のクリック感（抵抗）が増し、扇子（１２）扇骨の開閉操作感を向上すると共に、開角度の維持力を保つから、送風量が変動せず安定すると共に、送風操作時に要（２）部を強く握っておく必要が無いので、手指が疲れ難くなる。
【００１２】
請求項２の発明は、扇子を閉じた状態での親骨（１），（１）の下端に、下方迂回状に略コ字・Ｕ字形等の左右連結枠（９）の下方迂回部（１０）が設けられており、この下方迂回部（１０）、または上方の左右基部枠（５），（５）までを移動して覆う筒状のスライド握り（１１）一端部を下方迂回部（１０）に取付けていることを特徴とする請求項１記載の扇子の扇骨開閉規制具であって、この構成としたことにより、次のような特有の効果を生じることができる。
【００１３】
先ず、棒状に閉じた状態の扇子に取り付けた、左右連結枠（９）の下方迂回部（１０）に、この下方迂回部（１０）廻りのみと、移動して上方の左右基部枠（５），（５）までを覆うスライド握り（１１）を設けたことで、上方の左右基部枠（５），（５）までを覆った時は、自他何れが扇子を広げようとしても、親骨（１）や中骨（１３）等の扇骨が筒状のスライド握り（１１）の内周に接当し、広げ動作を妨げて、扇子の閉状態を保持できる。
【００１４】
また、スライド握り（１１）を下方に移動し下方迂回部（１０）のみ側を覆う時は、このスライド握り（１１）が、扇子を開いて風送り操作をする際の握りとなり、更に軽快に風を生じさせることができる。
【図面の簡単な説明】
【００１５】
【図１】扇子取付け状態時の、全体斜視図。
【図２】扇子取付け状態時の、一部断面底面図。
【図３】要部を分解した、分解斜視図。
【図４】扇子取付け状態時の、一部断面した拡大正面図。
【図５】扇子取付け状態別図例の、断面正面図。
【図６】図５の、断面底面図。
【図７】図５、突出端廻りの、断面平面図。
【図８】さらに、他の図例の、一部断面した全体正面図。
【発明を実施するための形態】
【００１６】
以下、この発明の実施の形態を、図面に基づいて具体的に説明するが、本願発明の範囲は、以下に説明する実施の形態に限定されるものではない。特段の説明が無い限り、同様の作用、効果を有するものは全て含むものである。
この発明において、扇子（せんす）とは通常市販の物で、親骨や中骨等の扇骨部分を、扇子基端側で「要」（かなめ）を用いて開閉可能としている物で、扇骨の中程から「天」側に亘る扇骨前後面に「折り」（おり）を有した紙を貼り付けて、風を起こす際の扇面（せんめん）としている。
【００１７】
扇面の「地」部分から「要」の間の中骨には、中彫り加工を行なった高級品から、単に平板状とした安価形まで有る。
扇骨部分の素材は、筒状の竹材では、皮に近い外側部分が少量しか無いが、密度や強度が高く、重量感も良い。
安価なものでは、中骨を強度的には弱いが多量に有る、筒状竹の内側部分を使ってコストダウンしたものや、扇骨を作製容易な、合成樹脂等の軟質材であるプラスチック系素材を射出成型して作り、コストダウンしているものも有る。
【実施例１】
【００１８】
図１の全体斜視図や、図２の断面底面図で示すように、扇子（１２）基端側の左右親骨（１），（１）や中骨（１３），（１３）・・・から成る扇骨は、要（２）によって左右方向に串刺しとし、その要（２）の留め具が突出端（３），（３）として、親骨（１），（１）側面から外方に夫々突出している。
これら従来の扇子（１２）に対し、要（２）近傍親骨（１）の上下面より広い間隔の前後壁（６），（６）を備え、外側壁面に突出端（３）よりも径大の開口（４）を有した全体の部材を組み立てて成るユニット状扇骨開閉規制具の平面視コ字状の基部枠（５）を、左右連結枠（９）の撓み力に逆らって広げながら、図示の如く、要（２）左右の突出端（３），（３）外側方に取り付ける。
【００１９】
図３で示す、基部枠（５）内面の開口（４）が、扇子（１２）の要（２）突出端（３）廻りに位置すると、基部枠（５）の脱落が防止できる。
言葉を換えると、左右連結枠（９）が，左右のボス座（８），（８）部間を挟み保持した状態において、左右の基部枠（５），（５）の脱落を防止する。
それは、事前に左右連結枠（９）と左右の基部枠（５），（５）の両者を、係止ピン（１４），（１４）を介して夫々弾撥軸着しておくことで、組み付けた両者をユニットとして、簡単に要（２）の突出端（３）部に取り付け得る。
【００２０】
基部枠（５）の開口（４）廻りには、略等配状に刻むＶ形凹凸菊座状の、係止溝（７）を有するボス座（８）を設けている。
この左右のボス座（８），（８）両外側方に、係止溝（７），（７）に噛み合うために周方向4本程度のＶ形凸状の係合突起（１５）を有した、爪座（１６），（１６）を互いに臨ませ、係止ピン（１４），（１４）を介して左右連結枠（９）両先端部位に、図示しない弾撥座金又はピン弾力を介し、両者を挟圧保持している。
【００２１】
図３、図４で示すように、係止ピン（１４）は，先端に４本程度の係止爪（１４ａ）を設け、中間部をスリット溝付き中空の弾柱体（１４ｂ）とし、基端に環鍔（１４ｃ）を設けている。
そして、係止ピン（１４）を左右連結枠（９）の爪座（１６）に設けた開口（１６ａ）及び、基部枠（５）の開口（４）に向けて挿入し、係止ピン（１４）の係止爪（１４ａ）をボス座（８）内側の肩部（８ａ）に、また、環鍔（１４ｃ）を爪座（１６）外側面の座ぐり孔（１６ｂ）面に係合し弾撥一体化している。
【００２２】
これ等、ピンと連結枠廻りの、弾撥一体化状態で図４に示すように、係止ピン（１４）の溝付き中空部空間内に要（２）の突出端（３）が位置し、左右連結枠（９）と基部枠（５）等のユニット化部材を、要（２）廻りに保持可能となる。
【００２３】
扇子（１２）の要（２）左右突出端（３），（３）近傍の扇骨幅である親骨（１），（１）間寸法は市販品では略同寸法であるが、扇骨が３５本の扇子と４５本の扇子では、中骨（１３）の厚みが同じであれば、当然扇骨幅である親骨（１），（１）間寸法が変わるので、左右連結枠（９）における爪座（１６），（１６）間寸法は、左右連結枠（９）の撓みである程度対応できるが、大，中，小と複数組備えるとさらに対応幅が増える。
【実施例２】
【００２４】
次に、別図例の構成について、図５、図６、図７で説明する。
この構成は、第１実施例の左右連結枠（９）の下方迂回部（１０）に、新規の構成を追加したもので、以下、新規の構成部を主体に説明する。
扇子（１２）の扇骨下端側に位置する下方迂回部（１０）中央部に、下方突設状に縦方向の軸部である揺動爪座（２１）を設け、該、軸廻りに取付支枠（２２）の中央筒体（２９）を軸廻り回転可能に設けている。
取付支枠（２２）の外周囲には、平面視で縦と横の寸法が長方形で、扇骨幅、厚みを超えた寸法とした長面立側壁（２３ａ）と短面立側壁（２３ｂ）から成る、立側壁（２３）で囲ったスライド握り（１１）としている。
【００２５】
スライド握り（１１）の上方一端部が、取付支枠（２２）外周囲に沿って基部枠（５）を覆う上方向には移動し、一端部が取付支枠（２２）から外れる下部方向には規制するように取り付けられている。
（２４），（２５）は上下のストッパーであって、スライド握り（１１）が基部枠（５）外方を伸縮移動可能で、抜け落ちしない構成を図っている。
【００２６】
またスライド握り（１１）は、揺動爪座（２１）に回転可能な取付支枠（２２）の、ガイド側壁（２２ａ）や側端面（２２ｂ）廻りでスライド自在に取り付けており、また、この揺動爪座（２１）廻りに設けた９０度ロック部（２６）により、その長面立側壁（２３ａ）位置を、扇骨面と平行または直交方向に可変係止自在としている。
図例では、スライド握り（１１）を上下伸縮スライドとしているが、例えば、横ヒンジ軸中心にスライド握り（１１）下部を、上方に折り曲げて扇子（１２）の開操作を規制する構成としても同効である。
【実施例３】
【００２７】
さらに、第３実施例の構成について、図８に基づいて説明する。
扇子（１２）の要（２）左右突出端（３），（３）廻りに取付ける、左右の基部枠（５），（５）、開口（４）、ボス座（８），係止溝（７）類は同じであるが、左右連結枠部分を異構成とし、その異構成部を主体に詳述する。
第３実施例の挟み式左右連結枠（１７）は、中央軸（１８）を中心に握り（１９），（１９）を左右方向拡開自在に突設し、握り（１９），（１９）内面間に拡張バネ（２０）を取り付けた、洗濯バサミ様の構成としている。
【００２８】
そして、要（２）の突出端（３），（３）廻り部を圧縮する揺動爪座（２１）内面側には、係合突起（１５）が設けられ、前述した左右基部枠（５），（５）のボス座（８），（８）に設けた係止溝（７）に夫々噛み合っている。
親骨（１）の延長方向の基準方向に対し、係合突起（１５）と係止溝（７）の噛み合わせを、開口（４）円周廻りで角度変更調節可能とした別形状の係止ピン体（２７）で取付け、さらに、要（２）軸心と直交方向首振り自在に、側方軸（２８），（２８）で係止ピン体（２７）外端部を軸着取り付けしている。
【００２９】
このように、握り（１９），（１９）を中央軸（１８）廻りで引き寄せて、基部枠（５），（５）間距離を大きく変更できる別構成とすると、第１、第２実施例における爪座（１６），（１６）間寸法を左右連結枠（９）の撓みである程度は対応するが、左右連結枠（９）幅を大，中，小と複数組備える必要が有るものに対し、この図例の洗濯バサミ様の挟み式左右連結枠（１７）構成では、一個で、大，中，小の開口幅を無段階調節として、簡単にまかなうことができる。
【００３０】
次に、各実施例の作用について説明する。
第１実施例では、従来の扇子（１２）に於いて、親骨（１）の前後厚みより広い内幅の前後壁（６）間隔を持つ左右の基部枠（５），（５）を、平面視でコ字状部が対向する姿勢で、扇骨下端部から要（２）の突出端（３）方向に挿入する。
基部枠（５）側壁に設けた開口（４）が要（２）の突出端（３）に位置すると、左右連結枠（９）で一体化していた場合、左右の開口（４），（４）部、または、
係止ピン（１４）の溝付き中空部空間内に、要（２）の突出端（３）が噛み合って、一体化部材は扇子（１２）下端に固着される。
【００３１】
この状態で、左右連結枠（９）の左右内幅を、扇骨に取り付けた左右の基部枠（５），（５）間外幅よりも小さくしておくだけで、左右連結枠（９）の復元力で常時扇子（１２）の要（２）廻りには、扇骨全体を左右から圧縮する荷重が作用する。
また、基部枠（５）の開口（４）部に設けたボス座（８）の外側に向かう係止溝（７）と、左右連結枠（９）の爪座（１６）内側面に設けた係合突起（１５）の噛み合いとピン廻りの弾撥具により、左右連結枠（９）に対し左右の基部枠（５），（５）は、一定姿勢を保つように係止ピン（１４）廻りに規制される。
【００３２】
閉状態の扇子（１２）扇骨は、側面視で片方の親骨（１）の影に隠れており、左右の親骨（１），（１）を、例えば、左を左方手前に右を右奥方向に動かして扇面を拡開すると、左の基枠部（５）の係止溝（７）はその外方の係合突起（１５）に噛み合いながら左の係止ピン（１４）廻りを弾撥具に逆らって左廻りし、右の基枠部（５）の係止溝（７）はその外方の係合突起（１５）に噛み合いながら右の係止ピン（１４）廻りを同様に弾撥具に逆らって右廻りする。
【００３３】
この開き操作の際、左右の親骨（１），（１）は、夫々の係止溝（７）と係合突起（１５）の乗り越え噛み合いと弾撥に伴ない、古くなって「ため」が緩んだ親骨（１）であっても、最初から「ため」の無い安価な親骨（１）であっても、共に、クリック感のある状態で開き使用できる。
また、要（２）廻りを左右連結枠（９）の拡開弾撥で強く挟持していると、扇骨同士が押し付けられ、送風操作時の扇骨間の振れが少なくなり、強い風、安定した風量を得ることができる。
【００３４】
第２実施例のものは、扇子（１２）の扇骨下端に位置する下方迂回部（１０）の左右方向中央部に設けた揺動爪座（２１）を介して、平面視で縦と横の寸法が長方形の取付支枠（２２）を軸周り回転可能に取り付け、この、取付支枠（２２）部にスライド握り（１１）を、基部枠（５）外方まで伸ばして覆った状態と、取付支枠（２２）のみを覆った状態とに、伸縮移動可能に取り付けている。
また、スライド握り（１１）は揺動爪座（２１）を中心に、９０度毎に角度を変更する９０度ロック部（２６）を有しており、扇子（１２）で送風時に、スライド握り（１１）縦面（１１ａ）の握り角度を、扇面と平行の単なる引出し状態と、扇面と直交の引出し回転状態とに変更操作でき、送風時の手首位置を操作容易な疲れ難い方向に変更できる。
【００３５】
スライド握り（１１）縦面（１１ａ）を、扇面と平行の単なる引出し状態から、扇子（１２）をたたみ、スライド握り（１１）縦面（１１ａ）を基部枠（５）外方まで覆った収納状態まで操作すると、基部枠（５）内の扇骨を拡げることができないので、扇子（１２）は直線状態の収納姿勢を強制的に保つ。
また、収納姿勢時のスライド握り（１１）を、基部枠（５）廻りから外れる方向に一杯動かすと、取付支枠（２２）の上ストッパー（２４）に接当する引出し状態に戻り、扇面を開けば送風操作が可能となる。
【００３６】
第３実施例である挟み式左右連結枠（１７）構成では、中央軸（１８）を中心に握り（１９），（１９）を拡張バネ（２０）に逆らって近づけると、中央軸（１８）反対側に設けた左右基部枠（５），（５）の間隔が拡がる。
扇子（１２）の要（２）突出端（３），（３）外側に間隔を拡げた左右基部枠（５），（５）を位置させ、次に、力を弱めて握り（１９），（１９）間隔を、拡張バネ（２０）に従がって拡げるに伴い、左右基部枠（５），（５）間隔が狭まる。
【００３７】
そして、要（２）突出端（３），（３）廻り部を左右基部枠（５），（５）内面の開口（４），（４）部で挟圧保持する。
この時、左右基部枠（５）は側方軸（２８）を中心に首振り自在としているので、内面での挟圧保持姿勢が安定するから、扇子（１２）の要（２）長さが異なって突出端（３），（３）間寸法が複数組存在していて夫々の突出端（３），（３）間寸法に変化があっても、握り（１９），（１９）間隔を調整するだけで簡単に取付け固定できる。
【符号の説明】
【００３８】
１    親骨                      ２    要
３    突出端                    ４    開口
５    基部枠                    ６    前後壁
７    係止溝                    ８    ボス座
８ａ  肩部                      ９    左右連結枠
１０    下方迂回部              １１    スライド握り  
１１ａ  縦面                    １２    扇子                    
１３    中骨                    １４    係止ピン            
１４ａ  係止爪                  １４ｂ  弾柱体                
１４ｃ  環鍔                    １５    係合突起  
１６    爪座                    １６ａ  開口                  
１６ｂ  座ぐり孔                １７    挟み式左右連結枠      
１８    中央軸                  １９    握り                  
２０    拡張バネ                ２１    揺動爪座      
２２    取付支枠                ２２ａ  ガイド側壁            
２２ｂ  側端面                  ２３    立側壁                
２３ａ  長面立側壁              ２３ｂ  短面立側壁            
２４    上ストッパー            ２５    下ストッパー          
２６    ９０度ロック部          ２７    係止ピン体              
２８    側方軸
【図１】
0005971455.tif 000002
【図２】
0005971455.tif 000003
【図３】
0005971455.tif 000004
【図４】
0005971455.tif 000005
【図５】
0005971455.tif 000006
【図６】
0005971455.tif 000007
【図７】
0005971455.tif 000008
【図８】
0005971455.tif 000009